【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
複数のチャネル状態情報（ＣＳＩ）報告グループの各々に関するＣＳＩ報告構成を特定すること、ここにおいて、各ＣＳＩ報告グループは、前記ＵＥのキャリアアグリゲーション構成におけるコンポーネントキャリアの組からの複数のコンポーネントキャリアを備える、と、
前記ＣＳＩ報告グループの各々に関する基準コンポーネントキャリアを決定すること、ここにおいて、前記基準コンポーネントキャリアは、ＣＳＩ報告グループ内の前記複数のコンポーネントキャリア間で循環する、と、
各基準コンポーネントキャリアに関するＣＳＩパラメータを特定することと、
コンポーネントキャリアの前記組の各々のコンポーネントキャリアに対応する一組のＣＳＩデルタ値を計算すること、ここにおいて、コンポーネントキャリアに関する前記ＣＳＩデルタ値は、前記対応するＣＳＩ報告グループの前記基準コンポーネントキャリアに関する前記ＣＳＩパラメータに基づく、と、
前記対応するＣＳＩ報告構成に少なくとも部分的に基づいて前記複数のＣＳＩ報告グループの各々に関する結合されたレポートを生成すること、ここにおいて、前記結合されたレポートの各々は、前記基準コンポーネントキャリアに関する前記ＣＳＩパラメータと、前記対応するＣＳＩ報告グループ内の前記複数のコンポーネントキャリアに関する前記計算されたＣＳＩデルタ値と、を備える、と、
前記結合されたレポートのうちの１つまたは複数を送信することと、を備える、ユーザ機器（ＵＥ）によるワイヤレス通信の方法。
【請求項２】
前記結合されたレポートの各々は、対応するＣＳＩ報告グループ内の前記複数のコンポーネントキャリアの各々に関するＣＳＩ情報を備える、
請求項１に記載の方法。
【請求項３】
コンポーネントキャリアの前記組からの各コンポーネントキャリアは、前記複数のＣＳＩ報告グループのうちの１つのＣＳＩ報告グループと関連される、
請求項１に記載の方法。
【請求項４】
前記複数のＣＳＩ報告グループの各々に関する前記結合されたレポートを生成することは、
前記ＣＳＩ報告グループ内の前記複数のコンポーネントキャリアに対応する複数のＣＳＩレポートを多重化することを備え、ここにおいて、各々の個々のＣＳＩは、個々の物理アップリンク制御チャネル（ＰＵＣＣＨ）フォーマットに少なくとも部分的に基づく、
請求項１に記載の方法。
【請求項５】
前記送信することは、
第１のアップリンク（ＵＬ）コンポーネントキャリアの第１のＵＬ制御チャネル上でハイブリッド自動再送要求（ＨＡＲＱ）フィードバックを第１の結合されたレポートとともに送信することと、
第２のＵＬコンポーネントキャリアの第２のＵＬ制御チャネル上で残りの結合されたレポートを送信することと、をさらに備える、
請求項４に記載の方法。
【請求項６】
前記１つまたは複数の結合されたレポートを送信することは、
前記報告の周期性に基づいて、前記ＵＥのスケジューリング構成により物理アップリンク共有チャネル（ＰＵＳＣＨ）上で前記１つまたは複数の結合されたレポートを送信することを備える、
請求項１に記載の方法。
【請求項７】
前記ＣＳＩ報告構成の各々は、ＣＳＩ報告周期性を備え、および、ここにおいて、前記１つまたは複数の結合されたレポートを送信することは、
前記ＣＳＩ報告周期性に少なくとも部分的に基づいて前記１つまたは複数の結合されたレポートを送信することを備える、
請求項１に記載の方法。
【請求項８】
前記結合されたレポートのうちの２つ以上の間での衝突を特定することと、
優先順位設定方式に少なくとも部分的に基づいておよび前記衝突が特定されたときに前記２つ以上の結合されたレポートのうちの少なくとも１つを送信することを控えることと、をさらに備える、
請求項１に記載の方法。
【請求項９】
前記優先順位設定方式は、一組の報告タイプに少なくとも部分的に基づき、および、ここにおいて、各ＣＳＩ報告グループ内の前記複数のコンポーネントキャリアの各コンポーネントキャリアは、同じ報告タイプを有する、
請求項８に記載の方法。
【請求項１０】
前記優先順位設定方式は、最低のサービングセルインデックスに少なくとも部分的にさらに基づく、
請求項９に記載の方法。
【請求項１１】
ワイヤレス通信の方法であって、
ユーザ機器（ＵＥ）に関するキャリアアグリゲーション構成において一組のコンポーネントキャリアを構成することと、
コンポーネントキャリアの前記組の少なくとも一部分を複数のＣＳＩ報告グループに分割すること、ここにおいて、各ＣＳＩ報告グループは、複数のコンポーネントキャリアを備える、と、
ＣＳＩ報告構成を有する各ＣＳＩ報告グループを構成することと、
対応する前記ＣＳＩ報告構成に少なくとも部分的に基づいてＣＳＩ報告グループに対応する１つまたは複数の結合されたレポートを前記ＵＥから受信すること、ここにおいて、前記結合されたレポートの各々は、基準コンポーネントキャリアに関するＣＳＩパラメータと、前記対応するＣＳＩ報告グループ内の前記複数のコンポーネントキャリアに関する計算されたＣＳＩデルタ値と、を備え、ここにおいて、コンポーネントキャリアに関する前記ＣＳＩデルタ値は、前記対応するＣＳＩ報告グループの前記基準コンポーネントキャリアに関する前記ＣＳＩパラメータに基づく、と、
を備える、ワイヤレス通信の方法。
【請求項１２】
コンポーネントキャリアの前記組の少なくとも一部分を分割することは、
一組の報告タイプに少なくとも部分的に基づいて各ＣＳＩ報告グループに関する複数のコンポーネントキャリアを選択することを備える、
請求項１１に記載の方法。
【請求項１３】
前記結合されたレポートの各々は、対応するＣＳＩ報告グループ内の前記複数のコンポーネントキャリアの各々に関するＣＳＩ情報を備える、
請求項１１に記載の方法。
【請求項１４】
ユーザ機器（ＵＥ）によるワイヤレス通信のための装置であって、
複数のチャネル状態情報（ＣＳＩ）報告グループの各々に関するＣＳＩ報告構成を特定するための手段、ここにおいて、各ＣＳＩ報告グループは、前記ＵＥのキャリアアグリゲーション構成におけるコンポーネントキャリアの組からの複数のコンポーネントキャリアを備える、と、
前記ＣＳＩ報告グループの各々に関する基準コンポーネントキャリアを決定するための手段、ここにおいて、前記基準コンポーネントキャリアは、ＣＳＩ報告グループ内の前記複数のコンポーネントキャリア間で循環する、と、
各基準コンポーネントキャリアに関するＣＳＩパラメータを特定するための手段と、
コンポーネントキャリアの前記組の各々のコンポーネントキャリアに対応する一組のＣＳＩデルタ値を計算するための手段、ここにおいて、コンポーネントキャリアに関する前記ＣＳＩデルタ値は、前記対応するＣＳＩ報告グループの前記基準コンポーネントキャリアに関する前記ＣＳＩパラメータに基づく、と、
前記対応するＣＳＩ報告構成に少なくとも部分的に基づいて前記複数のＣＳＩ報告グループの各々に関する結合されたレポートを生成するための手段、ここにおいて、前記結合されたレポートの各々は、前記基準コンポーネントキャリアに関する前記ＣＳＩパラメータと、前記対応するＣＳＩ報告グループ内の前記複数のコンポーネントキャリアに関する前記計算されたＣＳＩデルタ値と、を備える、と、
前記結合されたレポートのうちの１つまたは複数を送信するための手段と、を備える、ユーザ機器（ＵＥ）によるワイヤレス通信のための装置。
【請求項１５】
ワイヤレス通信のための装置であって、
ユーザ機器（ＵＥ）に関するキャリアアグリゲーション構成において一組のコンポーネントキャリアを構成するための手段と、
コンポーネントキャリアの前記組の少なくとも一部分を複数のＣＳＩ報告グループに分割するための手段、ここにおいて、各ＣＳＩ報告グループは、複数のコンポーネントキャリアを備える、と、
ＣＳＩ報告構成を有する各ＣＳＩ報告グループを構成するための手段と、
前記対応するＣＳＩ報告構成に少なくとも部分的に基づいてＣＳＩ報告グループに対応する１つまたは複数の結合されたレポートを前記ＵＥから受信するための手段、ここにおいて、前記結合されたレポートの各々は、基準コンポーネントキャリアに関するＣＳＩパラメータと、前記対応するＣＳＩ報告グループ内の前記複数のコンポーネントキャリアに関する計算されたＣＳＩデルタ値と、を備える、ここにおいて、コンポーネントキャリアに関する前記ＣＳＩデルタ値は、前記対応するＣＳＩ報告グループの前記基準コンポーネントキャリアに関する前記ＣＳＩパラメータに基づく、と、を備える、ワイヤレス通信のための装置。
【手続補正２】
【補正対象書類名】明細書
【補正対象項目名】０１６１
【補正方法】変更
【補正の内容】
【０１６１】
[0179]本明細書において説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡおよび他のシステムのような様々なワイヤレス通信システムに関して使用され得る。用語「システム」および「ネットワーク」は、互換可能な形でしばしば使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５、およびＩＳ−８５６規格を網羅する。ＩＳ−２０００リリース０およびＡは、ＣＤＭＡ２０００  １Ｘ、１Ｘ、等と共通して呼ばれ得る。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））と、ＣＤＭＡの他の変形と、を含む。ＴＤＭＡシステムは、グローバル移動通信システム（ＧＳＭ（登録商標））のような無線技法を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術を実装し得る。ＵＴＲＡおよびＥ−ＵＴＲＡは、ユニバーサル移動通信システム（ＵＭＴＳ）の一部である。３ＧＰＰ（登録商標）ロングタームエボリューション（ＬＴＥ）およびＬＴＥ−Ａｄｖａｎｃｅｄ（ＬＴＥ−Ａ）は、Ｅ−ＵＴＲＡを使用するユニバーサル移動通信システム（ＵＭＴＳ）の新しいリリースである。ＵＴＲＡ、Ｅ−ＵＴＲＡ、ＵＭＴＳ、ＬＴＥ、ＬＴＥ−Ａ、およびグローバル移動通信システム（ＧＳＭ）は、「第３世代パートナーシッププロジェクト」（３ＧＰＰ）という名称の団体からの文書において説明される。ＣＤＭＡ２０００およびＵＭＢは、「第３世代パートナーシッププロジェクト２」（３ＧＰＰ２）という名称の団体からの文書において説明される。本明細書において説明される技法は、上記のシステムおよび無線技術、さらには他のシステムおよび無線技術に関して使用され得る。しかしながら、上の説明は、例の目的のためにＬＴＥシステムについて説明し、上の説明の多くではＬＴＥ用語が使用されるが、技法は、ＬＴＥ適用例を越えて適用可能である。
以下に本願の出願当初の特許請求の範囲に記載された発明を付記する。
［Ｃ１］
ユーザ機器（ＵＥ）によるワイヤレス通信の方法であって、
複数のチャネル状態情報（ＣＳＩ）報告グループの各々に関するＣＳＩ報告構成を特定すること、ここにおいて、各ＣＳＩ報告グループは、前記ＵＥのキャリアアグリゲーション構成におけるコンポーネントキャリアの組からの複数のコンポーネントキャリアを備える、と、
前記対応するＣＳＩ報告構成に少なくとも部分的に基づいて前記複数のＣＳＩ報告グループの各々に関する結合されたレポートを生成することと、
前記結合されたレポートのうちの１つまたは複数を送信することと、を備える、ユーザ機器（ＵＥ）によるワイヤレス通信の方法。
［Ｃ２］
前記ＣＳＩ報告グループの各々に関する基準コンポーネントキャリアを決定することと、
各基準コンポーネントキャリアに関するＣＳＩパラメータを特定することと、
コンポーネントキャリアの組の各々のコンポーネントキャリアに対応する一組のＣＳＩ値を計算すること、ここにおいて、コンポーネントキャリアに関する前記ＣＳＩ値は、前記対応するＣＳＩ報告グループの前記基準コンポーネントキャリアに関する前記ＣＳＩパラメータに基づく、と、をさらに備え、
ここにおいて、前記結合されたレポートの各々は、前記基準コンポーネントキャリアに関する前記ＣＳＩパラメータと、前記対応するＣＳＩ報告グループ内の前記複数のコンポーネントキャリアに関するＣＳＩ値の前記計算された組の部分組と、を備える、
Ｃ１に記載の方法。
［Ｃ３］
前記結合されたレポートの各々は、対応するＣＳＩ報告グループ内の前記複数のコンポーネントキャリアの各々に関するＣＳＩ情報を備える、
Ｃ１に記載の方法。
［Ｃ４］
コンポーネントキャリアの前記組からの各コンポーネントキャリアは、前記複数のＣＳＩ報告グループのうちの１つのＣＳＩ報告グループと関連される、
Ｃ１に記載の方法。
［Ｃ５］
前記複数のＣＳＩ報告グループの各々に関する前記結合されたレポートを生成することは、
前記ＣＳＩ報告グループ内の前記複数のコンポーネントキャリアに対応する複数のＣＳＩレポートを多重化することを備え、ここにおいて、各々の個々のＣＳＩは、個々の物理アップリンク制御チャネル（ＰＵＣＣＨ）フォーマットに少なくとも部分的に基づく、
Ｃ１に記載の方法。
［Ｃ６］
前記送信することは、
第１のアップリンク（ＵＬ）コンポーネントキャリアの第１のＵＬ制御チャネル上でハイブリッド自動再送要求（ＨＡＲＱ）フィードバックを第１の結合されたレポートとともに送信することと、
第２のＵＬコンポーネントキャリアの第２のＵＬ制御チャネル上で残りの結合されたレポートを送信することと、をさらに備える、
Ｃ５に記載の方法。
［Ｃ７］
前記１つまたは複数の結合されたレポートを送信することは、
前記ＵＥの半永続的なスケジューリング構成により物理アップリンク共有チャネル（ＰＵＳＣＨ）上で前記１つまたは複数の結合されたレポートを送信することを備える、
Ｃ１に記載の方法。
［Ｃ８］
前記結合されたレポートのうちの少なくとも１つは、ＨＡＲＱフィードバックまたはスケジューリング要求（ＳＲ）のうちの少なくとも１つ、または両方を備える、
Ｃ７に記載の方法。
［Ｃ９］
前記１つまたは複数のＣＳＩレポートはＨＡＲＱフィードバックを含む旨の指示を送信することをさらに備える、
Ｃ８に記載の方法。
［Ｃ１０］
前記１つまたは複数の結合されたレポートは、まとめてコーディングされる、
Ｃ８に記載の方法。
［Ｃ１１］
前記ＵＥの前記半永続的なスケジューリング構成により前記ＰＵＳＣＨの残りのリソースを使用してデータを送信することをさらに備える、
Ｃ７に記載の方法。
［Ｃ１２］
前記ＣＳＩ報告構成の各々は、ＣＳＩ報告周期性を備え、および、ここにおいて、前記１つまたは複数の結合されたレポートを送信することは、
前記ＣＳＩ報告周期性に少なくとも部分的に基づいて前記１つまたは複数の結合されたレポートを送信することを備える、
Ｃ１に記載の方法。
［Ｃ１３］
前記結合されたレポートのうちの２つ以上の間での衝突を特定することと、
優先順位設定方式に少なくとも部分的に基づいておよび前記衝突が特定されたときに前記２つ以上の結合されたレポートのうちの少なくとも１つを送信することを控えることと、をさらに備える、
Ｃ１に記載の方法。
［Ｃ１４］
前記優先順位設定方式は、一組の報告タイプに少なくとも部分的に基づき、および、ここにおいて、各ＣＳＩ報告グループ内の前記複数のコンポーネントキャリアの各コンポーネントキャリアは、同じ報告タイプを有する、
Ｃ１３に記載の方法。
［Ｃ１５］
前記優先順位設定方式は、最低のサービングセルインデックスに少なくとも部分的にさらに基づく、
Ｃ１４に記載の方法。
［Ｃ１６］
ワイヤレス通信の方法であって、
ユーザ機器（ＵＥ）に関するキャリアアグリゲーション構成において一組のコンポーネントキャリアを構成することと、
コンポーネントキャリアの前記組の少なくとも一部分を複数のＣＳＩ報告グループに分割すること、ここにおいて、各ＣＳＩ報告グループは、複数のコンポーネントキャリアを備える、と、
ＣＳＩ報告構成を有する各ＣＳＩ報告グループを構成することと、
前記対応するＣＳＩ報告構成に少なくとも部分的に基づいてＣＳＩ報告グループに対応する１つまたは複数の結合されたレポートを前記ＵＥから受信することと、を備える、ワイヤレス通信の方法。
［Ｃ１７］
コンポーネントキャリアの前記組の少なくとも一部分を分割することは、
一組の報告タイプに少なくとも部分的に基づいて各ＣＳＩ報告グループに関する複数のコンポーネントキャリアを選択することを備える、
Ｃ１６に記載の方法。
［Ｃ１８］
前記結合されたレポートの各々は、対応するＣＳＩ報告グループ内の前記複数のコンポーネントキャリアの各々に関するＣＳＩ情報を備える、
Ｃ１６に記載の方法。
［Ｃ１９］
前記複数のＣＳＩ報告グループの各々に関する前記結合されたレポートを生成することは、前記ＣＳＩ報告グループ内の前記複数のコンポーネントキャリアに対応する複数のＣＳＩレポートを多重化することを備え、ここにおいて、各々の個々のＣＳＩは、個々の物理アップリンク制御チャネル（ＰＵＣＣＨ）フォーマットに少なくとも部分的に基づく、
Ｃ１６に記載の方法。
［Ｃ２０］
前記送信することは、第１のアップリンク（ＵＬ）コンポーネントキャリアの第１のＵＬ制御チャネル上でハイブリッド自動再送要求（ＨＡＲＱ）フィードバックを第１の結合されたレポートとともに送信することと、
第２のＵＬコンポーネントキャリアの第２のＵＬ制御チャネル上で残りの結合されたレポートを送信することと、をさらに備える、
Ｃ１９に記載の方法。
［Ｃ２１］
ユーザ機器（ＵＥ）によるワイヤレス通信のための装置であって、
複数のチャネル状態情報（ＣＳＩ）報告グループの各々に関するＣＳＩ報告構成を特定するための手段、ここにおいて、各ＣＳＩ報告グループは、前記ＵＥのキャリアアグリゲーション構成におけるコンポーネントキャリアの組からの複数のコンポーネントキャリアを備える、と、
前記対応するＣＳＩ報告構成に少なくとも部分的に基づいて前記複数のＣＳＩ報告グループの各々に関する結合されたレポートを生成するための手段と、
前記結合されたレポートのうちの１つまたは複数を送信するための手段と、を備える、ユーザ機器（ＵＥ）によるワイヤレス通信のための装置。
［Ｃ２２］
前記ＣＳＩ報告グループの各々に関する基準コンポーネントキャリアを決定するための手段と、
各基準コンポーネントキャリアに関するＣＳＩパラメータを特定するための手段と、
コンポーネントキャリアの前記組の各々のコンポーネントキャリアに対応する一組のＣＳＩ値を計算するための手段、ここにおいて、コンポーネントキャリアに関する前記ＣＳＩ値は、前記対応するＣＳＩ報告グループの前記基準コンポーネントキャリアに関する前記ＣＳＩパラメータに基づく、と、をさらに備え、
ここにおいて、前記結合されたレポートの各々は、前記基準コンポーネントキャリアに関する前記ＣＳＩパラメータと、前記対応するＣＳＩ報告グループ内の前記複数のコンポーネントキャリアに関するＣＳＩ値の前記計算された組の部分組と、を備える、
Ｃ２１に記載の装置。
［Ｃ２３］
前記結合されたレポートの各々は、対応するＣＳＩ報告グループ内の前記複数のコンポーネントキャリアの各々に関するＣＳＩ情報を備える、
Ｃ２１に記載の装置。
［Ｃ２４］
コンポーネントキャリアの前記組からの各コンポーネントキャリアは、前記複数のＣＳＩ報告グループのうちの１つのＣＳＩ報告グループと関連される、
Ｃ２１に記載の装置。
［Ｃ２５］
前記複数のＣＳＩ報告グループの各々に関する前記結合されたレポートを生成するための前記手段は、
前記ＣＳＩ報告グループ内の前記複数のコンポーネントキャリアに対応する複数のＣＳＩレポートを多重化するための手段を備え、ここにおいて、各々の個々のＣＳＩは、個々の物理アップリンク制御チャネル（ＰＵＣＣＨ）フォーマットに少なくとも部分的に基づく、
Ｃ２１に記載の装置。
［Ｃ２６］
送信するための前記手段は、
第１のアップリンク（ＵＬ）コンポーネントキャリアの第１のＵＬ制御チャネル上でハイブリッド自動再送要求（ＨＡＲＱ）フィードバックを第１の結合されたレポートとともに送信するための手段と、
第２のＵＬコンポーネントキャリアの第２のＵＬ制御チャネル上で残りの結合されたレポートを送信するための手段と、をさらに備える、
Ｃ２５に記載の装置。
［Ｃ２７］
前記１つまたは複数の結合されたレポートを送信するための前記手段は、
前記ＵＥの半永続的なスケジューリング構成により物理アップリンク共有チャネル（ＰＵＳＣＨ）上で前記１つまたは複数の結合されたレポートを送信するための手段を備える、
Ｃ２１に記載の装置。
［Ｃ２８］
前記結合されたレポートのうちの少なくとも１つは、ＨＡＲＱフィードバックまたはスケジューリング要求（ＳＲ）のうちの少なくとも１つ、または両方を備える、
Ｃ２７に記載の装置。
［Ｃ２９］
前記１つまたは複数のＣＳＩレポートはＨＡＲＱフィードバックを含む旨の指示を送信するための手段をさらに備える、
Ｃ２８に記載の装置。
［Ｃ３０］
前記１つまたは複数の結合されたレポートは、まとめてコーディングされる、
Ｃ２８に記載の装置。
［Ｃ３１］
前記ＵＥの前記半永続的なスケジューリング構成により前記ＰＵＳＣＨの残りのリソースを使用してデータを送信するための手段をさらに備える、
Ｃ２７に記載の装置。
［Ｃ３２］
前記ＣＳＩ報告構成の各々は、ＣＳＩ報告周期性を備え、および、ここにおいて、前記１つまたは複数の結合されたレポートを送信するための前記手段は、
前記ＣＳＩ報告周期性に少なくとも部分的に基づいて前記１つまたは複数の結合されたレポートを送信するための手段を備える、
Ｃ２１に記載の装置。
［Ｃ３３］
前記結合されたレポートのうちの２つ以上の間での衝突を特定するための手段と、
優先順位設定方式に少なくとも部分的に基づいておよび前記衝突が特定されたときに前記２つ以上の結合されたレポートのうちの少なくとも１つを送信することを控えるための手段と、をさらに備える、
Ｃ２１に記載の装置。
［Ｃ３４］
前記優先順位設定方式は、一組の報告タイプに少なくとも部分的に基づき、および、ここにおいて、各ＣＳＩ報告グループ内の前記複数のコンポーネントキャリアの各コンポーネントキャリアは、同じ報告タイプを有する、
Ｃ３３に記載の装置。
［Ｃ３５］
前記優先順位設定方式は、最低のサービングセルインデックスに少なくとも部分的にさらに基づく、
Ｃ３４に記載の装置。
［Ｃ３６］
ワイヤレス通信のための装置であって、
ユーザ機器（ＵＥ）に関するキャリアアグリゲーション構成において一組のコンポーネントキャリアを構成するための手段と、
コンポーネントキャリアの前記組の少なくとも一部分を複数のＣＳＩ報告グループに分割するための手段、ここにおいて、各ＣＳＩ報告グループは、複数のコンポーネントキャリアを備える、と、
ＣＳＩ報告構成を有する各ＣＳＩ報告グループを構成するための手段と、
前記対応するＣＳＩ報告構成に少なくとも部分的に基づいてＣＳＩ報告グループに対応する１つまたは複数の結合されたレポートを前記ＵＥから受信するための手段と、を備える、ワイヤレス通信のための装置。
［Ｃ３７］
コンポーネントキャリアの前記組の少なくとも一部分を分割するための前記手段は、
一組の報告タイプに少なくとも部分的に基づいて各ＣＳＩ報告グループに関する複数のコンポーネントキャリアを選択するための手段を備える、
Ｃ３６に記載の装置。
［Ｃ３８］
前記結合されたレポートの各々は、対応するＣＳＩ報告グループ内の前記複数のコンポーネントキャリアの各々に関するＣＳＩ情報を備える、
Ｃ３６に記載の装置。
［Ｃ３９］
前記複数のＣＳＩ報告グループの各々に関する前記結合されたレポートを生成するための前記手段は、
前記ＣＳＩ報告グループ内の前記複数のコンポーネントキャリアに対応する複数のＣＳＩレポートを多重化するための手段を備え、ここにおいて、各々の個々のＣＳＩは、個々の物理アップリンク制御チャネル（ＰＵＣＣＨ）フォーマットに少なくとも部分的に基づく、
Ｃ３６に記載の装置。
［Ｃ４０］
送信するための前記手段は、
第１のアップリンク（ＵＬ）コンポーネントキャリアの第１のＵＬ制御チャネル上でハイブリッド自動再送要求（ＨＡＲＱ）フィードバックを第１の結合されたレポートとともに送信するための手段と、
第２のＵＬコンポーネントキャリアの第２のＵＬ制御チャネル上で残りの結合されたレポートを送信するための手段と、をさらに備える、
Ｃ３９に記載の装置。
［Ｃ４１］
ワイヤレス通信のための装置であって、
少なくとも１つプロセッサと、
前記少なくとも１つプロセッサと電子的通信状態にあるメモリと、
前記メモリに格納され、前記少なくとも１つプロセッサによって実行されると、
一組のコンポーネントキャリアを備えるキャリアアグリゲーション構成を特定し、
複数のＣＳＩ報告グループの各々に関するチャネル状態情報（ＣＳＩ）報告構成を特定し、ここにおいて、各ＣＳＩ報告グループは、前記キャリアアグリゲーション構成におけるコンポーネントキャリアの前記組からの複数のコンポーネントキャリアを備え、
前記対応するＣＳＩ報告構成に少なくとも部分的に基づいて前記複数のＣＳＩ報告グループの各々に関する結合されたレポートを生成し、および、
前記結合されたレポートのうちの１つまたは複数を送信することを前記装置に行わせるために動作可能である命令と、を備える、ワイヤレス通信のための装置。
［Ｃ４２］
前記命令は、
前記ＣＳＩ報告グループの各々に関する基準コンポーネントキャリアを選択し、
前記基準コンポーネントキャリアの各々に関するＣＳＩパラメータを特定し、
前記基準コンポーネントキャリアに関する前記ＣＳＩパラメータに基づいてコンポーネントキャリアの前記組の各コンポーネントキャリアに対応する一組のＣＳＩ値を計算することを前記装置に行わせるために動作可能であり、
ここにおいて、前記結合されたレポートの各々は、前記対応する基準コンポーネントキャリアに関する前記ＣＳＩパラメータと、前記対応する複数のコンポーネントキャリアに関するＣＳＩ値の部分組と、を備える、
Ｃ４１に記載の装置。
［Ｃ４３］
前記結合されたレポートの各々は、対応するＣＳＩ報告グループ内の前記複数のコンポーネントキャリアの各々に関するＣＳＩ情報を備える、
Ｃ４１に記載の装置。
［Ｃ４４］
前記命令は、
前記ＣＳＩ報告グループ内の前記複数のコンポーネントキャリアに対応する複数のＣＳＩレポートを多重化することを前記装置に行わせるために動作可能であり、ここにおいて、前記個々のＣＳＩレポートの各々は、個々の物理アップリンク制御チャネル（ＰＵＣＣＨ）フォーマットに少なくとも部分的に基づく、
Ｃ４１に記載の装置。
［Ｃ４５］
前記命令は、
第１のアップリンク（ＵＬ）制御チャネル上で前記結合されたレポートのうちの前記１つまたは複数を送信し、および、
前記第１のＵＬ制御チャネルと異なるコンポーネントキャリア（ＣＣ）上で第２のＵＬ制御チャネル上で残りの結合されたレポートを送信することを前記装置に行わせるために動作可能である、
Ｃ４４に記載の装置。
［Ｃ４６］
前記命令は、
半永続的なスケジューリング構成により物理アップリンク共有チャネル（ＰＵＳＣＨ）上で前記結合されたレポートのうちの前記１つまたは複数を送信することを前記装置に行わせるために動作可能である、
Ｃ４１に記載の装置。
［Ｃ４７］
前記命令は、
前記半永続的なスケジューリング構成により前記ＰＵＳＣＨの残りのリソースを使用してデータを送信することを前記装置に行わせるために動作可能である、
Ｃ４６に記載の装置。
［Ｃ４８］
前記ＣＳＩ報告構成の各々は、ＣＳＩ報告周期性を備え、および、ここにおいて、前記命令は、
前記ＣＳＩ報告周期性に少なくとも部分的に基づいて前記１つまたは複数の結合されたレポートを送信することを前記装置に行わせるために動作可能である、
Ｃ４１に記載の装置。
［Ｃ４９］
前記命令は、
前記結合されたレポートのうちの２つ以上の間での衝突を特定し、および、
優先順位設定方式および前記特定された衝突に少なくとも部分的に基づいて前記２つ以上の結合されたレポートのうちの少なくとも１つを送信することを控えることを前記装置に行わせるために動作可能である、
Ｃ４１に記載の装置。